【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
イオンを含むサンプル溶液中のイオン種によって発生される電流又は電位を検出するための装置において、
（ａ）電解質イオン移送装置を備え、これは、
(1) 入口及び出口を有するサンプルフロースルーチャンネル、
(2)前記 サンプルフロースルーチャンネルに沿って流体接触状態で配置された第１の荷電バリアであって、正又は負の１つの電荷のイオンを通過でき且つバルク液体の流れを阻止できる第１の荷電バリア、
(3) 前記サンプルフロースルーチャンネルとは逆の、前記第１の荷電バリアの側に配置された第１のチャンバー、及び
(4) 前記第１のチャンバー及び前記サンプルフロースルーチャンネルと各々電気的に連通する第１及び第２の電極、を含むものであり、更に、
（ｂ）前記第１及び第２の電極と電気的に連通する電気信号検出器、
を備えた装置。
【請求項２】
（ｃ）入口及び出口を有するクロマトグラフィーカラムを更に備え、前記クロマトグラフィー出口は、前記イオン移送装置のサンプルフロースルーチャンネルと流体連通状態にある、請求項１に記載の装置。
【請求項３】
イオンを含むサンプル溶液中のイオンを検出するための装置において、
（ａ）電解式イオン移送装置を備え、これは、
(1) サンプルフロースルーチャンネル、
(2) 前記サンプルフロースルーチャンネルに沿って流体接触状態で配置された第１の荷電バリアであって、正又は負の１つの電荷のイオンを通過でき且つバルク液体の流れを阻止できる第１の荷電バリア、
(3) 前記サンプルフロースルーチャンネルとは逆の、前記第１の荷電バリアの側に配置された第１のチャンバー、及び
(4) 前記第１のチャンバー及び前記サンプルフロースルーチャンネルと各々電気的に連通する第１及び第２の電極、を含むものであり、更に、
（ｂ）電解式電解質発生装置を備え、これは、
(1) 第１の電解質ソース貯留器、
(2) 第１の電解質発生チャンバー、
(3) 前記第１の電解質ソース貯留器と前記第１の電解質発生チャンバーとの間に配置され、正又は負の１つの電荷のイオンを通過できると共にバルク液体の流れを阻止できる第１の電解質荷電バリア、及び
(4) 前記第１及び第２の電極と各々電気的に連通すると共に、前記第１の電解質ソース貯留器及び前記電解質発生チャンバーと各々電気的に連通する第３及び第４の電極、を含むものであり、更に、
（ｃ）流体連通状態にある前記電解質発生チャンバーに発生される前記電解質のための検出器、
を備えた装置。
【請求項４】
サンプル溶液中のイオンにより発生される電流又は電位を検出する装置において、
（ａ）入口及び出口を有するハウジング内のフロースルーイオン交換媒体と、
（ｂ）前記イオン交換媒体に電流を通流させるよう配置された第１及び第２の電極と、  （ｃ）前記第１及び第２の電極と電気的に連通する電気信号検出器と、
を備えた装置。
【請求項５】
イオンを含むサンプル溶液中のイオンにより発生される電流又は電位を検出するための方法において、
（ａ）サンプルフロースルーチャンネル、このサンプルフロースルーチャンネルに沿って流体接触状態で配置されて、正又は負の１つの電荷のイオンを通過できると共に、バルク液体の流れを阻止できる第１の荷電バリア、及びサンプルフロースルーチャンネルとは逆の、前記第１バリアの側に配置された第１のイオン受け取りチャンバーを含む電解式イオン移送装置を準備するステップと、
（ｂ）前記サンプルチャンネルを通してサンプルイオン種を含むサンプル水流を通流させて、サンプルチャンネル流出物として放出するステップと、
（ｃ）前記サンプルチャンネル内の前記サンプル流及び前記イオン受け取りチャンバー内の水性液体と各々電気的に連通する第１電極と第２電極との間に電流を通過させるステップと、
（ｄ）前記電流の作用のもとで、サンプル流イオンの少なくとも一部分を、前記第１の荷電バリアを横切って、前記第１のイオン受け取りチャンバー内の水溶液へ搬送するステップと、
（ｅ）前記第１電極と第２電極との間に流れる電流により生じる電気信号を検出するステップと、
を備えた方法。
【請求項６】
（ｆ）正又は負の１つの電荷の溶出流におけるサンプルイオン種をクロマトグラフィー式に分離して、クロマトグラフィー流出物を発生するステップと、
（ｇ）前記クロマトグラフィー流出物を前記サンプルフロースルーチャンネルに通流させるステップと、
を更に備えた請求項５に記載の方法。
【請求項７】
イオンを含むサンプル溶液中のイオンを検出するための方法において、
（ａ）フロースルーサンプルチャンネル、このサンプルチャンネルに沿って流体接触状態で配置されて、正又は負の１つの電荷のイオンを通過できると共に、バルク液体の流れを阻止できる第１荷電バリア、及び前記サンプルチャンネルとは逆の、前記第１バリアの側に配置された第１のイオン受け取りチャンバーを含む電解式イオン移送装置を準備するステップと、
（ｂ）前記フロースルーサンプルチャンネルを通してイオンを含むサンプル水流を通流させるステップと、
（ｃ）前記サンプルチャンネル内の前記サンプル流及び前記イオン受け取りチャンバー内の水性液体と各々電気的に連通する第１電極と第２電極との間に電流を通過させるステップと、
（ｄ）前記電流の作用のもとで、サンプル流イオンの少なくとも一部分を、前記第１の荷電バリアを横切って、前記第１のイオン受け取りチャンバー内の水溶液へ搬送するステップと、
（ｅ）交換可能なイオンを有し、正又は負の１つの電荷のイオンを通過できる第２の荷電バリアにより電解質発生チャンバーから分離された第１の電解質ソース貯留器を備えた電解式電解質発生装置を準備するステップと、
（ｆ）前記電解質発生チャンバーを通して水溶液を通流させるステップと、
（ｇ）前記第１の電解質ソース貯留器及び前記第１の電解質発生チャンバー内の溶液と各々電気的に連通する前記第１電極と第２電極との間及び第３電極と第４電極との間に、共通の電源を使用して、電位を印加し、正又は負の１つの電荷のイオンを前記第２の荷電バリアに通過させて、前記第１の電解質発生チャンバー内に電解質水溶液を発生させるステップと、
（ｈ）前記発生した電解質溶液を検出するステップと、
を備えた方法。
【請求項８】
サンプル溶液中のサンプルイオン種によって発生された電流又は電位を検出するための方法において、
（ａ）イオン交換媒体を通してサンプルイオン種を含むサンプル溶液を通流させるステップと、
（ｂ）前記イオン交換媒体を通して第１電極と第２電極との間に電流を通過させるステップと、
（ｃ）前記第１電極と第２電極との間に流れる電流により生じる電気信号を検出するステップと、
を備えた方法。
【請求項９】
分析物を含むサンプル溶液中の分析物を検出するための装置において、
（ａ）分析物を含む液体サンプルのための検出器サンプルフローチャンネルと、
（ｂ）前記検出器サンプルフローチャンネルに作動的に関連付けられて液体サンプル中の分析物を検出するための信号検出器であって、前記分析物の濃度に応答して電気信号を発生するような信号検出器と、
（ｃ）電解式電解質発生装置であって、(1)第１の電解質ソース貯留器、(2)第１の電解質発生チャンバー、(3)前記第１の電解質ソース貯留器と前記第１の電解質発生チャンバーとの間に配置されて、正又は負の１つの電荷のイオンを通過できると共に、バルク液体の流れを阻止できる第１の電解質荷電バリア、及び(4)前記検出器で発生された電気信号と電気的に連通すると共に、前記第１の電解質ソース貯留器及び前記電解質発生チャンバーと各々電気的に連通する電気回路の第１及び第２の電極、を含む電解質発生装置と、
（ｄ）流体連通する前記電解質発生チャンバー内に発生された前記電解質のための電解質検出器と、
を備えた装置。
【請求項１０】
イオンを含むサンプル溶液中のイオンを検出するための方法において、
（ａ）検出器サンプルフローチャンネルを通して分析物を含むサンプル水流を通流させるステップと、
（ｂ）前記サンプルフローチャンネル内の分析物の濃度を検出して、その検出された分析物濃度に応答して電気信号を発生するステップと、
（ｃ）交換可能なイオンを有し、正又は負の１つの電荷のイオンを通過できる第２の荷電バリアにより電解質発生チャンバーから分離された第１の電解質ソース貯留器を備えた電解式電解質発生装置を準備するステップと、
（ｄ）電解質発生チャンバーを通して水溶液を通流させるステップと、
（ｅ）前記第１の電解質ソース貯留器及び前記第１の電解質発生チャンバー内の溶液と各々電気的に連通する逆極性の第１電極及び第２電極へ前記発生された電気信号を通過させて、正又は負の１つの電荷のイオンを前記第２の荷電バリアに通過させ、前記第１の電解質発生チャンバーに電解質水溶液を発生させるステップと、
（ｆ）前記発生された電解質溶液を検出するステップと、
を備えた方法。
【請求項１１】
イオンを含むサンプル溶液中のイオンを検出するための装置において、
（ａ）電解式イオン移送装置であって、
(1) サンプルフロースルーチャンネル、
(2) 前記サンプルフロースルーチャンネルに沿って流体接触状態で配置され、正又は負の１つの電荷のイオンを通過でき且つバルク液体の流れを阻止できる第１荷電バリア、    (3) 前記サンプルフロースルーチャンネルとは逆の、前記第１荷電バリアの側に配置された第１のチャンバー、及び
(4) 前記第１のチャンバー及び前記サンプルフロースルーチャンネルと各々電気的に連通する第１及び第２の電極、
を含むような移送装置と、
（ｂ）入口及び出口を有しそして前記第１及び第２電極に各々電気的に連通した第３及び第４電極を有する電解式電解質発生装置と、
（ｃ）前記電解質発生装置の出口に流体連通する検出器と、
を備えた装置。
【請求項１２】
イオンを含むサンプル溶液中のイオンを検出するための装置において、
（ａ）電解式イオン移送装置であって、
(1) サンプルフロースルーチャンネル、
(2) 前記サンプルフロースルーチャンネルに沿って流体接触状態で配置され、正又は負の１つの電荷のイオンを通過でき且つバルク液体の流れを阻止できる第１荷電バリア、    (3) 前記サンプルフロースルーチャンネルとは逆の、前記第１荷電バリアの側に配置された第１のチャンバー、及び
(4) 前記第１のチャンバー及び前記サンプルフロースルーチャンネルと各々電気的に連通する第１及び第２の電極、
を含むような移送装置と、
（ｂ）電解式電解質発生装置であって、
(1) 入口及び出口を有するフロースルーイオン交換媒体、
(2) 前記第１及び第２電極と各々電気的に連通し且つ前記イオン交換媒体と電気的に連通する第３及び第４電極、
を含むような電解質発生装置と、
（ｃ）前記イオン交換媒体の出口と流体連通する検出器と、
を備えた装置。
【請求項１３】
分析物を含むサンプル溶液中の分析物を検出するための装置において、
（ａ）分析物を含む液体サンプルのための検出器サンプルフローチャンネルと、
（ｂ）液体サンプル中の分析物を検出するために前記検出器サンプルフローチャンネルに作動的に関連付けられた信号検出器であって、前記分析物の濃度に応答して電気信号を発生する信号検出器と、
（ｃ）電解式電解質発生装置であって、入口及び出口を有するフロースルーイオン交換媒体、及びこのイオン交換媒体の付近に配置されて、その媒体に電位を送る第１及び第２の離間された電極を含み、その第１及び第２の電極が前記検出器で発生される電気信号に電気的に連通するような電解質発生装置と、
（ｄ）前記イオン交換媒体の出口と流体連通する電解質検出器と、
を備えた装置。
【請求項１４】
イオンを含むサンプル溶液中のイオンを検出するための方法において、
（ａ）検出器サンプルフローチャンネルを通して分析物を含むサンプル水流を通流させるステップと、
（ｂ）前記サンプルフローチャンネル内の分析物の濃度を検出して、その検出された分析物濃度に応答して電気信号を発生するステップと、
（ｃ）前記電気信号と電気的に連通する第１及び第２の電極を有する電解式電解質発生装置を準備するステップと、
（ｄ）前記発生された電気信号を前記第１及び第２の電極へ送って、電解質水溶液を発生するステップと、
（ｅ）前記溶出物発生装置で発生された電解質溶液を検出するステップと、
を備えた方法。